(57)【要約】  【課題】ソファ単体又はカウンター天板単体での利用が困難であるという非効率性を解消できるソファシステムを提供する。  【解決手段】座１と背凭れ２とを備えたソファＳと、このソファＳに対して相対移動可能なカウンターＣとを具備してなり、前記カウンターＣが、自立可能な脚体３と、この脚体３に支持されたカウンター天板４と、このカウンター天板４の反使用端側に固設された幕板５とを備えたものであり、前記幕板５を前記ソファＳの背凭れ２の背面に当接させた状態で当該カウンターＣを前記ソファＳの背後に配することができるように構成する。【選択図】図１
2019047976.tif 000002
【特許請求の範囲】
【請求項１】
座と背凭れとを備えたソファと、このソファに対して相対移動可能なカウンターとを具備してなり、前記カウンターが、自立可能な脚体と、この脚体に支持されたカウンター天板と、このカウンター天板の反使用端側に固設された幕板とを備えたものであり、前記幕板を前記ソファの背凭れの背面に当接させた状態で当該カウンターを前記ソファの背後に配することができるように構成されているソファシステム。
【請求項２】
前記ソファが、ベース上に複数のソファ構成部材を隣接配置したものである請求項１記載のソファシステム。
【請求項３】
前記ソファが、背凭れの背面が相互に交差して連続する複数の起立平面領域を備えたものであり、それら起立平面領域に相互に独立した前記カウンターをそれぞれ当接させて配置している請求項１又は２記載のソファシステム。
【請求項４】
前記ソファの背面が、当該ソファの後端に位置する第１の起立平面領域と、この第１の起立平面領域の両端から前方に向かって漸次拡開しつつ延出する対をなす第２の起立平面領域とを備えたものである請求項３記載のソファシステム。
【請求項５】
前記カウンターが、前記カウンター天板の反使用端面に前記幕板を略直交させて固設したものであり、前記幕板の上端部は前記カウンター天板の上面よりも上方に位置している請求項１、２、３又は４記載のソファシステム。
【請求項６】
前記カウンターの幕板が、前記前記カウンター天板の下面から垂下させて固設したものであり、前記前記カウンター天板の反使用端面と前記幕板の外面とがほぼ面一である請求項１、２、３又は４記載のソファシステム。
【発明の詳細な説明】
【技術分野】
【０００１】
本発明は、ソファとカウンターテーブルとを備えたソファシステムに関する。
【背景技術】
【０００２】
近時、前方の壁面等にモニターが設置され、利用者がこのモニターを見て会議を行うことがある。このような会議において多くの利用者が集まった場合に、前方等の同一方向を向いて執務可能なシステムが望まれており、ソファの背もたれの後方にカウンター天板を取り付けたソファシステムが存在する（例えば、非特許文献１、２を参照）。
【０００３】
ところが、このような構成のものでは、ソファシステムの一部を構成する前記カウンター天板がソファシステムの主体をなすソファにしっかり固定され、このソファシステムの専用品として用いられている。すなわち、このものは、ソファ単体、又はカウンター天板単体での利用は想定されておらず、非効率的である。
【０００４】
このような課題は、会議用に限らず、種々のソファシステムにおいて同様に存在する。
【先行技術文献】
【非特許文献】
【０００５】
【非特許文献１】ＳＴＥＥＬＣＡＳＥ社、“axdnv0kp”、[online]、平成29年、ＳＴＥＥＬＣＡＳＥ社、［平成29年8月9日検索］、インターネット<url: https://www.steelcase.com/asia-ja/resources/space-planning-ideas/axdnv0kp/>
【発明の概要】
【発明が解決しようとする課題】
【０００６】
本発明は、前述した課題に着目してなされたもので、ソファシステムにおいて、ソファ単体又はカウンター天板単体での利用が困難であるという非効率性を解消することを目的としている。
【課題を解決するための手段】
【０００７】
請求項１記載の発明に係るソファシステムは、座と背凭れとを備えたソファと、このソファに対して相対移動可能なカウンターとを具備してなり、前記カウンターが、自立可能な脚体と、この脚体に支持されたカウンター天板と、このカウンター天板の反使用端側に固設された幕板とを備えたものであり、前記幕板を前記ソファの背凭れの背面に当接させた状態で当該カウンターを前記ソファの背後に配することができるように構成されているものである。
【０００８】
なお、本発明における「ソファ」は、一体に形成されたもの以外に、複数のソファ構成部材を組み合わせたソファユニットも含むとともに、座や背もたれにクッションを有しないものも含む概念である。
【０００９】
請求項２記載の発明に係るソファシステムは、請求項１記載の構成のものにおいて、前記ソファが、ベース上に複数のソファ構成部材を隣接配置したものである。
【００１０】
請求項３記載の発明に係るソファシステムは、請求項１又は２記載の構成のものにおいて、前記ソファが、背凭れの背面が相互に交差して連続する複数の起立平面領域を備えたものであり、それら起立平面領域に相互に独立した前記カウンターをそれぞれ当接させて配置しているものである。
【００１１】
請求項４記載の発明に係るソファシステムは、請求項３記載の構成のものにおいて、前記ソファの背面が、当該ソファの後端に位置する第１の起立平面領域と、この第１の起立平面領域の両端から前方に向かって漸次拡開しつつ延出する対をなす第２の起立平面領域とを備えたものである。
【００１２】
請求項５記載の発明に係るソファシステムは、請求項１、２、３又は４記載の構成のものにおいて、前記カウンターが、前記カウンター天板の反使用端面に前記幕板を略直交させて固設したものであり、前記幕板の上端部は前記カウンター天板の上面よりも上方に位置しているものである。
【００１３】
請求項６記載の発明に係るソファシステムは、請求項１、２、３又は４記載の構成のものにおいて、前記カウンターの幕板が、前記カウンター天板の下面から垂下させて固設したものであり、前記カウンター天板の反使用端面と前記幕板の外面とがほぼ面一である。
【発明の効果】
【００１４】
本発明によれば、この種のソファシステムが従来有していた、ソファ単体又はカウンター天板単体での利用が困難であるという非効率性を解消することができる。
【図面の簡単な説明】
【００１５】
【図１】本発明の一実施形態に係るソファシステムを示す斜視図。
【図２】同実施形態に係るソファシステムを示す平面図。
【図３】同実施形態に係るソファのベースを示す平面図。
【図４】同実施形態に係るコーナー用のソファ構成部材を示す平面図。
【図５】同実施形態に係る直線用のソファ構成部材を示す平面図。
【図６】同実施形態に係るカウンターを示す正面図。
【図７】同実施形態に係るカウンターを示す平面図。
【図８】図２におけるＡ−Ａ線に沿った断面図。
【図９】図６における要部の拡大図。
【図１０】図９におけるＢ−Ｂ線に沿った断面図。
【発明を実施するための形態】
【００１６】
本発明の一実施形態を、図１〜図１０を参照しつつ以下に述べる。
【００１７】
本実施形態は、本発明を会議用のソファシステムＳＳに適用した場合のものである。このソファシステムＳＳは、図１、図２及び図８に示すように、座１と背凭れ２とを備えたソファＳと、このソファＳに対して相対移動可能なカウンターＣとを具備してなり、前記カウンターＣが、自立可能な脚体３と、この脚体３に支持された天板であるカウンター天板４と、このカウンター天板４の反使用端側に固設された幕板５とを備えたものであり、前記幕板５を前記ソファＳの背凭れ２の背面２ａに当接させた状態で当該カウンターＣを前記ソファＳの背後に配することができるように構成されているものである。
【００１８】
前記ソファＳは、ベース６上に複数のソファ構成部材７、８を隣接配置したものである。前記ベース６は、例えば、図３に示すように、前記ソファＳの平面視形状に対応した水平枠体１１と、この水平枠体１１を床面から所定高さ離れた位置に保持する脚１３とを備えたものである。前記水平枠体１１は、例えば、角柱パイプ材を主体に構成されたものであり、前記脚１３は、例えば円柱パイプ材を主体に構成されたものである。一方、この実施形態の前記ソファ構成部材７、８としては、図４に示すような対をなすコーナー用のソファ構成部材７と、このコーナー用のソファ構成部材７に隣接され相互に平面視直線状に配列される図５に示すような直線用のソファ構成部材８とが用いられている。前記コーナー用のソファ構成部材７は、ほぼ水平姿勢をなし平面視において例えば１２０度屈曲した座対応部１５と、この座対応部１５の後縁に沿って設けられた背凭れ対応部１７とを備えたもので、前記フレームにねじ止めされる図示しない芯材と、この芯材を覆うクッション性を備えた外装材１９とを備えている。前記背凭れ対応部１７の外面側は、略鉛直に起立した対をなす起立平面２１、２３となっている。すなわち、これら両起立平面２１、２３は、平面視相互に１２０度の角度をなして交差している。前記直線用のソファ構成部材８は、ほぼ水平姿勢をなし平面視略矩形状をなす座対応部２５と、この座対応部２５の後縁に沿って設けられた背凭れ対応部２７とを備えたもので、前記フレームにねじ止めされる図示しない芯材と、この芯材を覆うクッション性を備えた外装材２９とを備えている。前記背凭れ対応部２７の外面側は、略鉛直に起立した起立平面３１となっている。そして、図２に示すように、たがいに隣接するソファ構成部材７、８の起立平面２１、２３、３１は、面一に連続している。ここで、各座対応部１５、２５がこのソファＳの座１を構成しているとともに、各背凭れ対応部１７、２７がこのソファＳの背凭れ２を構成している
以上説明したソファＳは、背凭れ２の背面２ａが相互に交差して連続する複数の起立平面領域Ｒ１、Ｒ２を備えたものであり、それら起立平面領域Ｒ１、Ｒ２に相互に独立した前記カウンターＣをそれぞれ当接させて配置している。さらに詳述すると、前記ソファＳの背面２ａは、図２に示すように、当該ソファＳの後端に位置する第１の起立平面領域Ｒ１と、この第１の起立平面領域Ｒ１の両端から前方に向かって漸次拡開しつつ延出する対をなす第２の起立平面領域Ｒ２とを備えている。前記第１の起立平面領域Ｒ１は、前記コーナー用のソファ構成部材７の片方の前記起立平面２１により構成されている。前記第２の起立平面領域Ｒ２は、それぞれ前記コーナー用のソファ構成部材７の片方の前記起立平面２３と、前記直線用のソファ構成部材８の前記起立平面３１とにより構成されている。そして、これら起立平面領域Ｒ１、Ｒ２に、前記カウンターＣの幕板５を当接させることができるようにしている。
【００１９】
前記カウンターＣは、前述したように、また、図６〜図１０に示すように、自立可能な左右対をなす脚体３と、これら脚体３に支持されたカウンター天板４と、このカウンター天板４の反使用端側に固設された幕板５とを備えたものである。
【００２０】
前記脚体３は、図６〜図１０に示すように、接地部を有するベース３３と、このベース３３の前端近傍部に立設した脚支柱３５と、この脚支柱３５の上端に剛結された天板受け３７と、前記幕板５を取り付けるための上下の幕板取付ブラケット３９、４１とを備えたものである。前記脚支柱３５は、例えば丸パイプ素材により作られたもので、その下端を前記ベース３３に溶接等により剛結するとともに、上端に前記天板受け３７を溶接等により剛結している。前記天板受け３７は、ネジを用いて前記カウンター天板４の下面に添接状態で接合される天板受け本体４３と、この天板受け本体４３の外縁から垂下させた外垂下壁４５と、前記天板受け本体４３の前端部から脚支柱３５に沿って下方に垂下させた前垂下壁４７とを板金素材により一体に構成したものであり、前記前垂下壁４７が、前述した上の幕板取付ブラケット３９を兼ねている。なお、下の幕板取付ブラケット４１は、前記脚支柱３５の外周に溶接等により剛結されている。これら上下の幕板取付ブラケット３９、４１は、ネジを用いて前記幕板５の内面５ｂに添接状態で接合される。
【００２１】
前記カウンター天板４は、図７に示すように、奥行寸法に対して幅寸法を大きく設定した平面視長方形状のもので、左右両端部を前記左右の脚体３に支持されている。このカウンター天板４の上面４ａの高さ位置は、使用者が起立した状態で好適に使用できるように設定されている。なお、このカウンター天板４には、図９及び図１０に示すように、前記脚体３の天板受け３７にネジを用いて接合されるようにすべく、埋設ナット４９を設けている。
【００２２】
前記幕板５は、図６及び図９に示すように、前記カウンター天板４の反使用端面４ｂに略直交させて固設した長方形状のものであり、前記カウンター天板４とほぼ同一の幅寸法を備えている。この幕板５の上端部５ａは前記カウンター天板４の上面４ａよりも上方に位置している。この幕板５は、前述したように、内面５ｂに添接させた上下の幕板取付ブラケット３９、４１を介して左右の脚体３に固定されているとともに、幅方向中間部に配された複数の中間取付ブラケット５１を介してカウンター天板４にも固定されている。なお、この幕板５には、前記脚体３及びカウンター天板４にネジを用いて接合されるようにすべく、埋設ナット５３を設けている。また、前記カウンター天板４には、ネジを用いて前記中間取付ブラケット５１を取り付けるための埋設ナット５５を設けている。
【００２３】
このような構成のものであれば、前記ソファＳに着座した複数の利用者が前方に配置された図示しないモニタ等を見ながら会議を行うことができるだけでなく、そのソファＳの背後に位置決め配置したカウンターＣを用いてさらに多くの利用者がその会議に参加することができる。しかも、前記カウンターＣは、前記ソファＳとは独立しており、そのソファＳとは離れた位置において自由に使用することもできる。すなわち、ソファＳ単体及びカウンター天板４単体での利用を自由に行うことができ、使い勝手を大幅に向上させることが可能になる。換言すれば、ソファＳとカウンターＣとを独立して使用することもできるので、効率的である。しかも、図８の想像線に示すように幕板５をソファＳの背凭れ２から離間させた状態から無造作に前進させても、図８の実線に示すように幕板５がソファＳの背凭れ２に当接することにより、カウンターＣの位置決めを行うことができる。このようにして、ソファＳとカウンターＣとを組み合わせて使用する場合には、カウンターＣを整然と配置することができる。
【００２４】
なお、本発明は以上に述べた実施形態に限られない。
【００２５】
例えば、カウンターの幕板が、カウンターの下面から垂下させて固設したものであってもよい。この場合には、前記カウンター天板の反使用端面と前記幕板の外面とをほぼ面一にしておくのがよい。また、幕板の上端面とカウンター天板の上面とを面一に構成する等の他の構成を採用してもよい。但し、上述した実施形態のように、幕板の上端部をカウンター天板の上面よりも上方に位置させると、カウンター天板の上面に載置した筆記具その他の使用品がソファ側に零れ落ちるのを防ぐこともできる。
【００２６】
さらに、上述した実施形態では、前記背凭れ２の背面２ａが相互に交差して連続する複数、より具体的には第１及び第２の起立平面領域Ｒ１、Ｒ２を備えており、それら起立平面領域Ｒ１、Ｒ２に相互に独立した前記カウンターＣをそれぞれ当接させて配置することにより、複数のカウンターＣがそれぞれ異なる方向を向く態様で各カウンターＣを位置決めすることができるようにしているが、ソファの背凭れの背面全体が面一なもの等、他の構成を採用してもよいのはもちろんである。
【００２７】
その上、上述した実施形態では、前記ソファＳの背凭れ２の背面２ａが、当該ソファＳの後端に位置する第１の起立平面領域Ｒ１と、この第１の起立平面領域Ｒ１の両端から前方に向かって漸次拡開しつつ延出する対をなす第２の起立平面領域Ｒ２とを備えているので、前記ソファＳに着座１した複数の利用者、及びそのソファＳの背後に位置決め配置したカウンターＣの利用者が、前方に配置された図示しないモニター等を見ながら会議を行うことができるが、背凭れの背面に複数の起立平面領域を有する構成において、これ以外の配置を採用してももちろんよい。
【００２８】
その他、本発明の趣旨を損ねない範囲で種々に変更してよい。
【符号の説明】
【００２９】
ＳＳ…ソファシステム
Ｓ…ソファ
Ｃ…カウンター
１…座
２…背凭れ
３…脚体
４…カウンター天板
５…幕板
【図１】
2019047976.tif 000003
【図２】
2019047976.tif 000004
【図３】
2019047976.tif 000005
【図４】
2019047976.tif 000006
【図５】
2019047976.tif 000007
【図６】
2019047976.tif 000008
【図７】
2019047976.tif 000009
【図８】
2019047976.tif 000010
【図９】
2019047976.tif 000011
【図１０】
2019047976.tif 000012